【手続補正書】
【提出日】平成18年2月15日(2006.2.15)
【手続補正１】
【補正対象書類名】明細書
【補正対象項目名】特許請求の範囲
【補正方法】変更
【補正の内容】
【特許請求の範囲】
【請求項１】  無線信号を第１偏波で通信する第１偏波アンテナと、無線信号を前記第１偏波と直交する第２偏波で通信する第２偏波アンテナと、第１の無線信号を前記第１偏波アンテナと前記第２偏波アンテナとのいずれを用いて送信あるいは受信するかと、第２の無線信号を前記第１偏波アンテナと前記第２偏波アンテナとのいずれを用いて送信あるいは受信するかを、所定条件を基に判断する制御部と、前記制御部によって通信に使用するアンテナを第１偏波アンテナと第２偏波アンテナとで切り替える切り替え手段と、を具備する無線通信装置。
【請求項２】  前記制御部は、前記第１の無線信号と前記第２の無線信号の通信に用いるアンテナを、前記第１の無線信号と前記第２の無線信号の通信速度が所定のしきい値以上であるか否かによって判断し、前記第１の無線信号の通信速度が所定のしきい値以上で、前記第２の無線信号の通信速度が所定のしきい値未満であるとき、前記切り替え手段は、通信速度が所定のしきい値以上である場合に前記第１偏波アンテナを選択し、通信速度が所定のしきい値未満である場合に前記第２偏波アンテナを選択する請求項１に記載の無線通信装置。
【請求項３】  前記制御部は、前記第１の無線信号と前記第２の無線信号の通信に用いるアンテナを、前記第１の無線信号と前記第２の無線信号の通信速度が所定のしきい値以上であるか否かによって判断し、前記第１の無線信号の通信速度が所定のしきい値以上で、前記第２の無線信号の通信速度が所定のしきい値未満であるとき、前記切り替え手段は、通信速度が所定のしきい値以上である下り回線で通信を行う場合に前記第１偏波アンテナを選択し、通信速度が所定のしきい値以上である上り回線で通信を行う場合に前記第２偏波アンテナを選択し、通信速度が所定のしきい値未満である下り回線で通信を行うときに前記第２偏波アンテナを選択し、通信速度が所定のしきい値未満である上り回線で通信を行うときに前記第１偏波アンテナを選択する請求項１に記載の無線通信装置。
【請求項４】  前記制御部は、前記第１の無線信号と前記第２の無線信号の通信に用いるアンテナを、前記第１の無線信号と前記第２の無線信号の通信が音声通話として行われるかデータ通信として行われるかによって判断し、前記第１の無線信号の通信を音声通話として行い、前記第２の無線信号の通信をデータ通信として行うとき、前記切り替え手段は、音声通話を行う場合に前記第１偏波アンテナを選択し、データ通信を行う場合に前記第２偏波アンテナを選択する請求項１に記載の無線通信装置。
【請求項５】  前記制御部は、前記第１の無線信号と前記第２の無線信号の通信に用いるアンテナを、前記第１の無線信号と前記第２の無線信号の通信が音声通話として行われるかデータ通信として行われるかによって判断し、前記第１の無線信号の通信を音声通話として行い、前記第２の無線信号の通信をデータ通信として行うとき、前記切り替え手段は、音声通話を行う場合に、下り回線で通信を行うときに前記第１偏波アンテナを選択し、上り回線で通信を行うときに前記第２偏波アンテナを選択し、データ通信を行う場合に、下り回線で通信を行うときに前記第２偏波アンテナを選択し、上り回線で通信を行うときに前記第１偏波アンテナを選択する請求項１に記載の無線通信装置。
【請求項６】  前記制御部は、前記第１の無線信号と前記第２の無線信号の通信に用いるアンテナを、前記第１の無線信号と前記第２の無線信号の変調方式によって判断し、前記第１の無線信号が第１変調方式で変調された信号であり、前記第２の無線信号が第２変調方式で変調された信号であるとき、前記切り替え手段が、第１変調方式で通信を行う場合に前記第１偏波アンテナを選択し、第２変調方式で通信を行う場合に前記第２偏波アンテナを選択する請求項１に記載の無線通信装置。
【請求項７】  前記制御部は、前記第１の無線信号と第２の無線信号の通信に用いるアンテナを、前記第１の無線信号と前記第２の無線信号の変調方式によって判断し、前記第１の無線信号が第１変調方式で変調された信号であり、前記第２の無線信号が第２変調方式で変調された信号であるとき、前記切り替え手段は、第１変調方式で通信を行う場合に、下り回線で通信を行うときに前記第１偏波アンテナを選択し、上り回線で通信を行うときに前記第２偏波アンテナを選択し、第２変調方式で通信を行う場合に、下り回線で通信を行うときに前記第２偏波アンテナを選択し、上り回線で通信を行うときに前記第１偏波アンテナを選択する請求項１に記載の無線通信装置。
【請求項８】  前記第１偏波アンテナと前記第２偏波アンテナで受信する信号のいずれの受信感度が高いかを判定する判定手段を具備し、前記制御部は、前記判定手段の判定結果に基づいて受信に使用するアンテナを前記切り替え判断部に指示する請求項１に記載の無線通信装置。
【請求項９】  前記第１偏波アンテナ及び前記第２偏波アンテナで受信する受信信号から希望波及び干渉波の到来方向を推定する到来方向推定手段と、前記到来方向推定手段の推定結果に基づいて干渉波の受信感度を低減する指向性を生成するアンテナ指向性制御手段と、を具備し、前記第１偏波アンテナ及び前記第２偏波アンテナは、複数のアンテナ素子を備える請求項１に記載の無線通信装置。
【請求項１０】  複数の無線信号で無線通信を行う無線通信方法であって、第１偏波で通信する第１偏波アンテナと、前記第１偏波と直交する第２偏波で通信する第２偏波アンテナとを用いて、第１の無線信号を前記第１偏波アンテナと前記第２偏波アンテナとのいずれを用いて送信あるいは受信するかと、第２の無線信号を前記第１偏波アンテナと前記第２偏波アンテナとのいずれを用いて通信するかを、所定条件を基に切り替える、無線通信方法。
【請求項１１】  前記第１の無線信号の通信速度が所定のしきい値以上で、前記第２の無線信号の通信速度が所定のしきい値未満であるときは、前記第１偏波アンテナで前記第１の無線信号を通信し、前記第２偏波アンテナで前記第２の無線信号を通信する、請求項１０に記載の無線通信方法。
【請求項１２】  前記第１の無線信号が音声通話のものであり、前記第２の無線信号がデータ通信のものであるときは、前記第１偏波アンテナで前記第１の無線信号を通信し、前記第２偏波アンテナで前記第２の無線信号を通信する、請求項１０に記載の無線通信方法。
【請求項１３】  前記第１の無線信号が第１の変調方式によるものであり、前記第２の無線信号が第２の変調方式によるものであるときは、前記第１偏波アンテナで前記第１の無線信号を通信し、前記第２偏波アンテナで前記第２の無線信号を通信する、請求項１０に記載の無線通信方法。
【請求項１４】  通信速度が所定のしきい値以上である場合に、下り回線において第１偏波で通信する第１偏波アンテナを使用し、上り回線において第２偏波で通信する第２偏波アンテナを使用し、通信速度が所定のしきい値未満である場合に、下り回線において第２偏波で通信する第２偏波アンテナを使用し、上り回線において第１偏波で通信する第１偏波アンテナを使用する請求項１０に記載の無線通信方法。
【請求項１５】  音声通話を行う場合に、下り回線において第１偏波で通信する第１偏波アンテナを使用し、上り回線において第２偏波で通信する第２偏波アンテナを使用し、データ通信を行う場合に、下り回線において第２偏波で通信する第２偏波アンテナを使用し、上り回線において第１偏波で通信する第１偏波アンテナを使用する請求項１０に記載の無線通信方法。
【請求項１６】  第１変調方式で通信を行う場合に、下り回線において第１偏波で通信する第１偏波アンテナを使用し、上り回線において第２偏波で通信する第２偏波アンテナを使用し、第２変調方式で通信を行う場合に、下り回線において第２偏波で通信する第２偏波アンテナを使用し、上り回線において第１偏波で通信する第１偏波アンテナを使用する請求項１０に記載の無線通信方法。
【請求項１７】  無線通信装置が１つのアンテナを有し、前記１つのアンテナの傾きを変えることにより、前記第１の偏波と前記第２の偏波を実現する請求項１０記載の無線通信方法。
【手続補正２】
【補正対象書類名】明細書
【補正対象項目名】００１１
【補正方法】変更
【補正の内容】
【００１１】
【発明の実施の形態】
本発明の無線通信装置は、無線信号を第１偏波で通信する第１偏波アンテナと、無線信号を前記第１偏波と直交する第２偏波で通信する第２偏波アンテナと、第１の無線信号を前記第１偏波アンテナと前記第２偏波アンテナとのいずれを用いて送信あるいは受信するかと、第２の無線信号を前記第１偏波アンテナと前記第２偏波アンテナとのいずれを用いて送信あるいは受信するかを、所定条件を基に判断する制御部と、前記制御部によって通信に使用するアンテナを第１偏波アンテナと第２偏波アンテナとで切り替える切り替え手段と、を具備する構成を採る。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】変更
【補正の内容】
【００３０】
本発明の無線通信方法は、複数の無線信号で無線通信を行う無線通信方法であって、第１偏波で通信する第１偏波アンテナと、前記第１偏波と直交する第２偏波で通信する第２偏波アンテナとを用いて、第１の無線信号を前記第１偏波アンテナと前記第２偏波アンテナとのいずれを用いて送信あるいは受信するかと、第２の無線信号を前記第１偏波アンテナと前記第２偏波アンテナとのいずれを用いて通信するかを、所定条件を基に切り替えるようにした。
【手続補正２２】
【補正対象書類名】明細書
【補正対象項目名】００３１
【補正方法】削除
【補正の内容】